(57)【要約】【課題】２色成形によって形成される歯ブラシ本体の空洞部に充填される２次樹脂の周縁部分に、隙間や亀裂が生じるのを回避できる歯ブラシを提供する。【解決手段】植毛台１４と柄部１３とを含む歯ブラシ本体１５を有する歯ブラシ１０あって、柄部１３には、表裏を貫通して設けられた空洞部２０に、歯ブラシ本体１５を形成する１次樹脂２１とは異なる材質の２次樹脂２２が、２色成形時に充填されて、柄部１３の表側表面及び裏側表面に表出して設けられている。２次樹脂２２は、開口周縁部２０ａの頂部２０ｂを超えて、１次樹脂２１による歯ブラシ本体１５の表面の一部を覆って設けられている。空洞部２０の開口周縁部２０ａには、頂部２０ｂよりも内側領域に、空洞部２０の内方に向けて階段状に張り出す段部２０ｃと、段部２０ｃをつなぐ連絡面部２０ｃが設けられている。連絡面部２０ｃは、傾斜して設けられている。【選択図】図７
2018198796.tif 000002
【特許請求の範囲】
【請求項１】
毛束が植設される複数の植毛孔が形成されている植毛台と、該植毛台に連続して設けられた柄部とを含む歯ブラシ本体を有する歯ブラシであって、
前記柄部には、該柄部の表裏を貫通して設けられた空洞部に、前記歯ブラシ本体を形成する１次樹脂とは異なる材質の２次樹脂が、２色成形時に充填されて、前記柄部の表側表面及び裏側表面に表出しており、
前記２次樹脂は、前記柄部における前記空洞部の表裏の各々の開口周縁部において、該開口周縁部の頂部を超えて、前記１次樹脂による前記歯ブラシ本体の表面の一部を覆って設けられている歯ブラシ。
【請求項２】
前記柄部における前記空洞部の表裏の各々の開口周縁部には、該開口周縁部の頂部よりも内側領域に、前記空洞部の内方に向けて階段状に張り出す段部が設けられている請求項１記載の歯ブラシ。
【請求項３】
前記段部が、前記柄部の厚さ方向の中央部までの間に、１〜５段設けられている請求項２に記載の歯ブラシ。
【請求項４】
前記頂部と前記段部、又は隣接する前記段部の間をつなぐ連絡面部は、傾斜した面となっている請求項２又は３記載の歯ブラシ。
【請求項５】
毛束が植設される複数の植毛孔が形成されている植毛台と、該植毛台に連続して設けられた柄部とを含む歯ブラシ本体を有する歯ブラシであって、
前記柄部には、該柄部の表裏を貫通して設けられた空洞部に、前記歯ブラシ本体を形成する１次樹脂とは異なる材質の２次樹脂が、２色成形時に充填されて、前記柄部の表側表面及び裏側表面に表出しており、
前記２次樹脂は、前記柄部における前記空洞部の表裏の各々の開口周縁部において、該開口周縁部の頂部を超えることなく該開口周縁部を覆って設けられており、
前記柄部における前記空洞部の表裏の各々の開口周縁部には、該開口周縁部の頂部よりも内側領域に、前記空洞部の内方に向けて前記柄部の厚さ方向の中央部側に傾斜する傾斜面部が設けられている歯ブラシ。
【請求項６】
前記傾斜面部が、凸状に湾曲しながら傾斜する湾曲傾斜面部となっている請求項５記載の歯ブラシ。
【請求項７】
前記２次樹脂は、硬度がＭ６５〜Ｍ１００の樹脂である請求項１〜６のいずれか１項記載の歯ブラシ。
【請求項８】
前記２次樹脂は、収縮率が０．１〜２．５％の樹脂である請求項１〜７のいずれか１項記載の歯ブラシ。
【請求項９】
前記２次樹脂は、透明又は半透明な樹脂である請求項１〜８のいずれか１項記載の歯ブラシ。
【発明の詳細な説明】
【技術分野】
【０００１】
本発明は、歯ブラシに関し、特に、毛束が植設される植毛台と、植毛台に連続して設けられた柄部とを含む歯ブラシ本体を有する歯ブラシに関する。
【背景技術】
【０００２】
歯ブラシは、植毛台と、該植毛台に連続して設けられた柄部とが一体として成形された歯ブラシ本体の植毛台に、複数の毛束が植設されことによって形成されている。歯ブラシ本体は、植毛台に割れが生じないようにしたり、歯磨き剤に含まれる薬品類等の影響を受け難くしたり、歯磨き時に植毛台を押し付けることによって生じる曲げ応力を繰り返し受けても、疲労による破損を生じ難くしたりする必要があるため、好ましくはポリプロピレン等のポリオレフィン系の樹脂を用いて、例えば不透明な白色等の色で形成されているのが一般的であり、意匠性や装飾性が高いものとは言い難い。
【０００３】
また、透明性の高い樹脂として、例えば飽和ポリエステル、アクリロニトリルスチレン樹脂、セルロースアセテート等の樹脂を用いて、歯ブラシ本体を形成した場合、植毛台の割れや、歯磨き剤に含まれる薬品類等の影響や、疲労による破損を生じ易くなることから、不透明な１次樹脂からなる歯ブラシ本体の柄部に、透明性の高い２次樹脂を埋め込んで表出させることによって、２次樹脂の透明感による意匠性の向上を図ることを可能にすると共に、薬品類等に対する優れた抵抗性や、繰り返し応力に対する優れた耐疲労性が得られるようにした歯ブラシも開発されている（例えば、特許文献１参照）。
【先行技術文献】
【特許文献】
【０００４】
【特許文献１】特開２００７−１９０４３９号公報
【発明の概要】
【発明が解決しようとする課題】
【０００５】
しかし、特許文献１の歯ブラシでは、２色成形によって歯ブラシ本体を形成する際に、硬化時の収縮によるひけの問題を生じることで、歯ブラシ本体の空洞部に充填された２次樹脂の周縁部分に、隙間や亀裂を生じ易い。このため、２色成形によって形成される歯ブラシ本体の空洞部に充填される、２次樹脂の周縁部分に、隙間や亀裂が生じるのを回避できるようにする新たな技術の開発が望まれている。
【０００６】
本発明は、２色成形によって形成される歯ブラシ本体の空洞部に充填される、２次樹脂の周縁部分に、隙間や亀裂が生じるのを効果的に回避することのできる歯ブラシを提供することを目的とする。
【課題を解決するための手段】
【０００７】
本発明は、毛束が植設される複数の植毛孔が形成されている植毛台と、該植毛台に連続して設けられた柄部とを含む歯ブラシ本体を有する歯ブラシであって、前記柄部には、該柄部の表裏を貫通して設けられた空洞部に、前記歯ブラシ本体を形成する１次樹脂とは異なる材質の２次樹脂が、２色成形時に充填されて、前記柄部の表側表面及び裏側表面に表出しており、前記２次樹脂は、前記柄部における前記空洞部の表裏の各々の開口周縁部において、該開口周縁部の頂部を超えて、前記１次樹脂による前記歯ブラシ本体の表面の一部を覆って設けられている歯ブラシを提供することにより、上記目的を達成したものである。
【０００８】
また、本発明は、毛束が植設される複数の植毛孔が形成されている植毛台と、該植毛台に連続して設けられた柄部とを含む歯ブラシ本体を有する歯ブラシであって、前記柄部には、該柄部の表裏を貫通して設けられた空洞部に、前記歯ブラシ本体を形成する１次樹脂とは異なる材質の２次樹脂が、２色成形時に充填されて、前記柄部の表側表面及び裏側表面に表出しており、前記２次樹脂は、前記柄部における前記空洞部の表裏の各々の開口周縁部において、該開口周縁部の頂部を超えることなく該開口周縁部を覆って設けられており、前記柄部における前記空洞部の表裏の各々の開口周縁部には、該開口周縁部の頂部よりも内側領域に、前記空洞部の内方に向けて前記柄部の厚さ方向の中央部側に傾斜する傾斜面部が設けられている歯ブラシを提供することにより、上記目的を達成したものである。
【発明の効果】
【０００９】
本発明の歯ブラシによれば、２色成形によって空洞部に２次樹脂が充填された歯ブラシ本体を形成する際に、２次樹脂の周縁部分に、隙間や亀裂を生じるのを効果的に回避することができる。
【図面の簡単な説明】
【００１０】
【図１】本発明の好ましい第１実施形態に係る歯ブラシを例示する略示斜視図である。
【図２】図１の歯ブラシを上方から視た略示平面図である。
【図３】図１の歯ブラシを側方から視た略示側面図である。
【図４】図２のＡ−Ａに沿った断面図である。
【図５】図１のＢ−Ｂに沿った断面図である。
【図６】本発明の好ましい第１実施形態に係る歯ブラシの要部を示す図５のＣ部拡大断面図である。
【図７】本発明の好ましい第１実施形態に係る歯ブラシの変形例を示す図５のＣ部拡大断面図である。
【図８】本発明の好ましい第２実施形態に係る歯ブラシの要部を示す図５のＣ部拡大断面図である。
【図９】本発明の好ましい第２実施形態に係る歯ブラシの変形例を示す図５のＣ部拡大断面図である。
【発明を実施するための形態】
【００１１】
図１〜図５に示す本発明の好ましい第１実施形態に係る歯ブラシ１０は、把持部１１とネック部１２とを含む柄部１３と、植毛台１４とを備える歯ブラシ本体１５の、植毛台１４に形成された複数の植毛孔１６に、複数本のブリッスル１７を束ねてなる毛束（タフト）１８を各々植設（植毛）することによって構成される。本第１実施形態の歯ブラシ１０は、歯ブラシ本体１５が、１次樹脂２１と２次樹脂２２とを用いた２色成形によって形成されており、１次樹脂２１による歯ブラシ本体１５の柄部１３を貫通して設けられた空洞部２０に、１次樹脂２１とは異なる材質の２次樹脂２２が充填されるようになっている。充填された２次樹脂２２は、硬化することによって、柄部１３の表面に表出した状態で柄部１３に埋め込まれて、歯ブラシ本体１５の美観や意匠性を向上させている。本第１実施形態の歯ブラシ１０は、２色成形時に２次樹脂を柄部１３に埋め込む際に、空洞部２０に充填された２次樹脂が、例えば硬度（ロックウェル硬度）がＭ６５〜Ｍ１００程度の硬い樹脂であると共に、硬化時の収縮率が０．１〜２．５％の樹脂である場合でも、硬化時の収縮によるひけによって、埋め込まれた２次樹脂の周縁部分に隙間や亀裂が生じないようにして、歯ブラシ本体１５の美観や意匠性が損なわれないようにする機能を備えている。
【００１２】
ここで、ロックウェル硬度は、ＪＩＳ  Ｋ  ７２０２−２（２００１年制定）、またはＩＳＯ ２０３９−２（１９８７年制定）に規定された測定方法によって測定される硬度である。硬化時の収縮率は、ＪＩＳ  Ｋ  ７１５２−４（２００５制定）、またはＩＳＯ２９４−４（２００１年制定）に規定された測定方法によって測定される収縮率である。
【００１３】
また、上述の特許文献１の歯ブラシでは、透明感による意匠性の向上や、優れた薬品類等に対する抵抗性及び繰り返し応力に対する耐疲労性を得ることが可能であるが、飽和ポリエステル、アクリロニトリルスチレン樹脂、セルロースアセテート等の透明性の高い２次樹脂は、硬度（ロックウィル硬度）がＭ６５〜Ｍ１００程度の硬い樹脂であると共に、硬化時の収縮率が０．１〜２．５％の樹脂となっている。そのため、多かれ少なかれ、２色成形による２次成形後に、１次成形品との間に隙間が生じ、汚れが溜まって不衛生になる場合がある。その一方で、隙間を覆い隠すように２次樹脂を形成すると、２次樹脂の周縁部分が薄肉の部分となり易い。薄肉の部分には、２次樹脂の硬化時の収縮による歪みによって、亀裂が生じ易くなる。収縮率は、２次樹脂の硬度が上がると小さくなり、硬度が下がると大きくなる傾向があるが、収縮率は全くゼロにはならないため、収縮率の小さい樹脂を選んでも、硬く柔軟性が無くなる分、かえって薄肉の部分の歪みが大きくなり、亀裂が生じる可能性がある。このため、本第１実施形態の歯ブラシ１０では、柄部１３に設けられた空洞部２０に充填される２次樹脂の形態や、空洞部２０の開口周縁部２０ａの形状等を工夫することによって、埋め込まれた２次樹脂２２の周縁部分に隙間や亀裂が生じないようにしている。
【００１４】
そして、本第１実施形態の歯ブラシ１０は、毛束１８が植設される複数の植毛孔１６が形成されている植毛台１４と、植毛台１４に連続して設けられた柄部１３とを含む歯ブラシ本体１５を有する歯ブラシであって、柄部１３には、柄部１３の把持部１１の表裏を貫通して設けられた空洞部２０に、歯ブラシ本体１５を形成する１次樹脂２１とは異なる材質の２次樹脂２２が、２色成形時に充填されて、柄部１３の表側表面及び裏側表面に表出している。２次樹脂２２は、図６に拡大して示すように、柄部１３における空洞部２０の表裏の各々の開口周縁部２０ａにおいて、これらの開口周縁部２０ａの頂部２０ｂを超えて、１次樹脂２１による歯ブラシ本体１５の表面の一部を覆って設けられている。２次樹脂２２は、好ましくは１次樹脂２１による歯ブラシ本体１５の表面に沿った頂部２０ｂからの長さが、０．１ｍｍ以上となるように、歯ブラシ本体１５の表面を覆って設けられている。ここで開口周縁部２０ａの頂部は、当該開口周縁部２０ａにおける、把持部１１を厚さ方向に２等分する面に対して垂直な各断面において、２等分する面から垂直方向に最も離れた点となる部分である。
【００１５】
また、本第１実施形態では、好ましくは柄部１３における空洞部２０の表裏の各々の開口周縁部２０ａには、図７に拡大して示すように、これらの開口周縁部２０ａの頂部２０ｂよりも内側領域に、空洞部２０の内方に向けて階段状に張り出す段部２０ｃが設けられている。頂部２０ｂと段部２０ｃ、又は隣接する段部２０ｃの間をつなぐ連絡面部２０ｄは、好ましくは傾斜した面となっている。
【００１６】
本第１実施形態では、歯ブラシ１０構成する歯ブラシ本体１５を形成するための１次樹脂２１は、歯ブラシ本体の樹脂として一般的に使用されている合成樹脂を、特に制限無く用いることができる。例えば、ポリアセタール樹脂、ポリスチレン樹脂、ポリエチレンテレフタレート樹脂、アクリロニトリルブタジエンスチレン樹脂、セルロースプロピオネート樹脂、ポリアリレート樹脂、ポリカーボネート樹脂、アクリロニトリルスチレン樹脂、ポリエステル、ポリトリメチレンテレフタレート、ポリシクロヘキサンジメチレンテレフタレートから選ばれる一種又は二種以上の樹脂を用いることが好ましい。本第１実施形態では、後述するように、柄部１３の把持部１１と植毛台１４とを連結する、柄部１３のネック部１２は、細く、長く形成されることから、機械的強度に優れた、ポリアセタール樹脂を用いて歯ブラシ本体１５を形成することが特に好ましい。
【００１７】
歯ブラシ本体１５の植毛台１４は、本第１実施形態では、例えば短軸が１０〜１８ｍｍ程度、長軸が１５〜３０ｍｍ程度の大きさの、楕円形状の平面形状を備えるように形成されている（図２参照）。植毛台１４の表側の平坦な植毛面１４ａには、例えばφ１．４ｍｍ程度の大きさの複数の円形の植毛孔１６が、分散配置されて開口形成されている。各々の植毛孔１６には、複数本のブリッスル１７を束ねてなる毛束１８が植設されている（図１〜図３参照）。
【００１８】
毛束１８を構成するブリッスル１７は、好ましくはナイロン、ポリエステル、ポリオレフィン等の、ブリッスルに用いられている周知の合成樹脂を、特に制限なく用いることができる。また、ブリッスル１７は、例えば０．１０〜０．２５ｍｍ（４〜１０ｍｉｌ）程度の太さを有するフィラメント材であって、これを例えば十数本〜数十本束ねることによって、毛束１８が構成される。ブリッスル１７は、例えば１５〜３５ｍｍの長さを有しており、毛束１８を二つ折りにして平線を打ち込む平線植毛や、片端部に溶融塊を形成して熱融着する融着植毛等、公知の各種の植毛方法を用いて、植毛台１４の植毛面１４ａに植設することが可能である。ブリッスル１７は、植毛台１４の表面１４ａからの高さ（毛丈）が、例えば８〜１３ｍｍとなるように植毛されている。
【００１９】
歯ブラシ本体１５の把持部１１は、本第１実施形態では、把持部１１とネック部１２とを備える柄部１３の、植毛台１４とは反対側の後端部分を形成しており、図５に示すように、二次樹脂２２が埋め込まれた状態で、短軸が９〜１５ｍｍ程度、長軸が１０〜１８ｍｍ程度の大きさの、楕円形状の断面形状を備えている。把持部１１は、植毛台１４側の端部である、好ましくは断面積が５０ｍｍ2となっている把持部先端部１１ａから、後方の当該把持部１１の中央部分に向けて、滑らかに連続させて断面積を僅かに拡大させる共に、中央部分から後端部に向けて、滑らかに連続させて断面積を僅かに縮小させた状態で設けられている。これによって把持部１１は、把持部先端部１１ａの後方領域に、断面積が５０ｍｍ2以上となっている部分を有している。柄部１３の後端部でもある把持部１１の後端部は、角部が湾曲形状に面取りされた形状を備えている。
【００２０】
また、本実第１施形態では、柄部１３の把持部１１には、植毛台１４の植毛面１４ａ側を表側の面とし、これとは反対側を裏側の面として、これらの表裏の面の間を貫通する空洞部２０が、開口形成されている（図４、図５参照）。空洞部２０は、把持部１１の横長の平面形状に沿った、横長の略トラック円形状又は楕円形状の同様の平面形状を、表裏の開口面に各々備えるように形成されている（図２参照）。この空洞部２０を充填して、１次樹脂２１による歯ブラシ本体１５とは異なる材質の２次樹脂２２が、二色成形によって歯ブラシ本体１５を形成する際に、把持部１１に埋め込まれる。これによって、２次樹脂２２は、柄部１３の把持部１１の表側表面及び裏側表面の双方に、表出することになる。
【００２１】
ここで、歯ブラシ本体１５が、上述の１次樹脂２１を用いて、好ましくは白色等の不透明な色で形成されている場合には、柄部１３の把持部１１に埋め込まれた、歯ブラシ本体１５とは異なる材質の２次樹脂２２は、透明又は半透明の樹脂となっていることが好ましい。柄部１３の把持部１１に埋め込まれた２次樹脂２２が、透明又は半透明の樹脂となっていることにより、歯ブラシ１０の意匠性や美観を効果的に向上させることが可能になる。２次樹脂２２としては、ポリエチレンテレフタレート、ポリブチレンテレフタレート等の飽和ポリエステル系の樹脂や、スチレン−ブタジエン共重合体ゴム、プロピレンゴム等のポリスチレン系又はポリオレフィン系のエラストマーを用いることが好ましい。より好ましくは、アクリロニトリルスチレン樹脂、セルロースアセテート、メタクリル樹脂等を用いることもできる。これらの２次樹脂は、硬度がＭ６５〜Ｍ１００程度の硬い樹脂であると共に、硬化時の収縮率が０．１〜２．５％の樹脂となっている。
【００２２】
さらに、本第１実施形態では、把持部１１における把持部先端部１１ａ側の部分の表側表面に、親指の指腹部が押し当てられるように誘導する指当てマーキング部１９が、埋め込まれた２次樹脂２０の部分に配置されて設けられている。指当てマーキング部１９は、好ましくは直径が６〜１５ｍｍ程度の大きさの略円形または略楕円形の平面形状を備えており、親指の指腹部に沿った表面形状となるように、浅い凹状に湾曲した湾曲凹部となっている。指当てマーキング部１９が設けられていることにより、使用者が、植毛台１４から離れた把持部１１を把持するように誘導し易くなる。
【００２３】
歯ブラシ本体１５のネック部１２は、柄部１３の把持部１１と、植毛台１４とを連結する部分を形成するもので、本第１実施形態では、好ましくは把持部先端部１１ａから、植毛台１４との接続部分１２ａに向けて、断面積が連続して減少する形状を備えている。すなわち、ネック部１２は、断面積が５０ｍｍ2となっている楕円形状の断面形状を備える把持部先端部１１ａから、植毛台１４との接続部分１２ａに向けて、楕円形状の断面形状を保持したまま、短軸と長軸の長さを滑らかに徐々に減少させた形状を備えている。またこれによって、ネック部１２は、好ましくは６０〜１２０ｍｍ程度の長さの全長に亘って、断面積が５０ｍｍ2に満たない部分となっている。
【００２４】
ネック部１２は、平面視して柄部１３の軸方向と垂直な方向の幅が最も小さい、３〜５ｍｍ程度の幅となった先端部から、柄部１３の軸方向と垂直な方向の幅が植毛台１４に向けて徐々に広がっている接続部分１２ａを介在させて、植毛台１４と接続している（図２参照）。
【００２５】
そして、本第１実施形態では、上述のように、柄部１３の把持部１１の表裏を貫通して設けられた空洞部２０に、１次樹脂２１とは異なる材質の２次樹脂２２が、２色成形時に充填されて、柄部１３の表側表面及び裏側表面に表出しており、２次樹脂２２は、図６に拡大して示すように、空洞部２０の表裏の各々の開口周縁部２０ａおいて、これらの開口周縁部２０ａの頂部２０ｂを好ましくは０．１ｍｍ以上超えて、１次樹脂２１による歯ブラシ本体１５の表面の一部を覆って設けられている。
【００２６】
すなわち、本第１実施形態では、空洞部２０は、把持部１１の表裏間の厚さ方向の面となっている内周面２０ｄを備えており、表裏の各々の開口周縁部２０ａの角部分は、滑らかに湾曲する凸曲面２０ｅによって面取りされている。２次樹脂２２は、開口周縁部２０ａの凸曲面２０ｅにおける、把持部１１の厚さ方向の先端を頂部２０ｂとして、当該頂部２０ｂをより好ましくは０．５〜１ｍｍ程度超えた状態で、１次樹脂２１による歯ブラシ本体１５の表面の覆うようにして設けられている。
【００２７】
これによって、２色成形時に空洞部２０に充填された２次樹脂２２が、硬化時のひけによって収縮することで、硬化した２次樹脂２２と空洞部２０の内周面２０ｆとの間に隙間が生じた場合でも、生じた隙間を、空洞部２０の開口周縁部２０ａの頂部２０ｂを超えて設けられた２次樹脂２２によって覆い隠すことにより、歯ブラシ１０の意匠性や美観を損なうことになるのを効果的に回避することが可能になると共に、硬化した２次樹脂２２が空洞部２０から抜けて脱落するのを効果的に回避することが可能になる。
【００２８】
また、本第１実施形態では、図７に示すように、柄部１３の把持部１１における空洞部２０の表裏の各々の開口周縁部２０ａには、これらの開口周縁部２０ａの頂部２０ｂよりも内側領域である内周面２０ｆに、空洞部２０の内方に向けて階段状に張り出す段部２０ｃが設けられている。頂部２０ｂと段部２０ｃ、又は隣接する段部２０ｃの間は、各々、連絡面部２０ｄによってつながれている。連絡面部２０ｄは、上述のように、傾斜した面となっている。段部２０ｃの幅は、０．０１〜０．５ｍｍであることが好ましく、０．０２〜０．２ｍｍであることがさらに好ましい。連絡面部２０ｄは、把持部１１の表裏間の厚さ方向の面Ｐに対して、例えば０．５〜５度の傾斜角度θで傾斜していることが好ましく、１〜３度の傾斜角度θで傾斜していることがさらに好ましい。段部２０ｃは、柄部１３の表裏の面から厚さ方向の中央部までの間に、各々１〜５段設けられていることが好ましい。本第１実施形態では、段部２０ｃは、柄部１３の表裏の面から厚さ方向の中央部までの間に、各々２段づつ設けられている。
【００２９】
空洞部２０の開口周縁部２０ａの頂部２０ｂよりも内側領域である内周面２０ｆに、段部２０ｃが設けられていることにより、空洞部２０に充填された２次樹脂２２の、把持部１１の表裏間の厚さ方向の厚みを、空洞部２０の開口周縁部２０ａから内方に向けて徐々に増すようにすることが可能になる。これによって、２次樹脂２２の収縮時に生じるひずみを軽減して、開口周縁部２０ａの頂部２０ｂ付近を覆う部分の２次樹脂２２に、応力が集中するのを緩和することにより、当該頂部２０ｂ付近を覆う部分の２次樹脂２２に亀裂や割れが生じるのを、効果的に回避することが可能になる。
【００３０】
また、頂部２０ｂと段部２０ｃ、又は隣接する段部２０ｃの間の連絡面部２０ｄが、傾斜した面となっていることにより、２次樹脂２２の収縮時に生じるひずみを分散して、開口周縁部２０ａの頂部２０ｂ付近を覆う部分の２次樹脂２２に応力が集中するのを、さらに効果的に緩和することが可能になると共に、２次樹脂２２が、開口周縁部２０ａの頂部２０ｂを超えて、１次樹脂２１による歯ブラシ本体１５の表面の覆う長さを、低減することが可能になる。
【００３１】
これらによって、本第１実施形態の発明の歯ブラシ１０によれば、２色成形によって空洞部２０に２次樹脂２２が充填された歯ブラシ本体１５を形成する際に、２次樹脂２２の周縁部分に、隙間や亀裂を生じるのを効果的に回避することが可能になる。
【００３２】
図８は、本発明の好ましい第２実施形態に係る歯ブラシ１０’の要部を示すものである。本第２実施形態の歯ブラシ１０’では、２次樹脂２２は、柄部１３の把持部１１に設けられた空洞部２０’の表裏の各々の開口周縁部２０ａ’おいて、開口周縁部２０ａ’の頂部２０ｂ’を超えることなく、開口周縁部２０ａ’を覆って設けられている。この点が、２次樹脂２２が開口周縁部２０ａの頂部２０ｂを超えて設けられている上記第１実施形態の歯ブラシ１０と相違している。その他の部分については、上記第１実施形態の歯ブラシ１０と略同様の構成を備えている。本第２実施形態の歯ブラシ１０’では、上記第１実施形態の歯ブラシ１０と異なる構成部分について主として説明しており、同様の構成部分については同一の符号を付して説明を省略している。特に言及しない構成部分については、上記第１実施形態の歯ブラシ１０に関する説明が適宜適用される。
【００３３】
そして、本第２実施形態の歯ブラシ１０’は、図１〜図５に示すように、毛束１８が植設される複数の植毛孔１６が形成されている植毛台１４と、植毛台１４に連続して設けられた柄部１３とを含む歯ブラシ本体１５を有する歯ブラシであって、柄部１３には、柄部１３の把持部１１の表裏を貫通して設けられた空洞部２０’に、歯ブラシ本体１５を形成する１次樹脂２１とは異なる材質の２次樹脂２２が、２色成形時に充填されて、柄部１３の表側表面及び裏側表面に表出している。２次樹脂２２は、図８に拡大して示すように、柄部１３における空洞部２０’の表裏の各々の開口周縁部２０ａ’において、こられの開口周縁部２０ａ’の頂部２０ｂ’を超えることなく開口周縁部２０ａ’を覆って設けられており、柄部１３における空洞部２０’の表裏の各々の開口周縁部２０ａ’には、これらの開口周縁部２０ａ’の頂部２０ｂ’よりも内側領域に、空洞部２０’の内方に向けて柄部１３の厚さ方向の中央部側に傾斜する傾斜面部２０ｃ’が設けられている。
【００３４】
本第２実施形態では、空洞部２０’の開口周縁部２０ａ’の頂部２０ｂ’よりも内側領域に設けられた傾斜面部２０ｃ’は、把持部１１の表裏間の厚さ方向の面Ｐに対して、例えば３０〜６０度の傾斜角度θ’で傾斜していることが好ましく、３５〜５５度の傾斜角度θ’で傾斜していることがさらに好ましい。また、傾斜面部２０ｃ’は、開口周縁部２０ａ’の頂部２０ｂ’における接線方向Ｓに対して、９０±２０度の角度で傾斜していることが好ましい。
【００３５】
空洞部２０’の開口周縁部２０ａ’の頂部２０ｂ’よりも内側領域に、傾斜面部２０ｃ’が設けられていることにより、開口周縁部２０ａ’の頂部２０ｂ’を超えることなく開口周縁部２０ａ’を覆って空洞部２０’に充填された２次樹脂２２は、硬化時に傾斜面部２０ｃ’に沿って収縮して行くことになるので、２次樹脂２２と空洞部２０’の内周面２０ｆ’との密着性を高めて、硬化した２次樹脂２２と空洞部２０’の内周面２０ｆ’との間に隙間が生じるのを、効果的に回避することが可能になる。また、２次樹脂２２が傾斜面部２０ｃ’に沿って一体的に収縮して行くことで、開口周縁部２０ａ’の頂部２０ｂ’を超えることなく開口周縁部２０ａ’を覆って空洞部２０’に充填された２次樹脂２２に、ひずみが生じるのを、効果的に回避することが可能になる。さらに、傾斜面部２０ｃ’が、開口周縁部２０ａ’の頂部２０ｂ’における接線方向Ｓに対して、９０±２０度の角度で傾斜していることにより、２次樹脂の中心方向へのスムーズな収縮を促し、歪みの発生を最小限に抑えることが可能になる。
【００３６】
また、本第２実施形態では、図９に示すように、空洞部２０’の開口周縁部２０ａ’の頂部２０ｂ’よりも内側領域に設けられた傾斜面部を、凸状に湾曲しながら傾斜する湾曲傾斜面部２０ｃ”とすることもできる。湾曲傾斜面部２０ｃ”の曲率半径は、例えば０．３〜３ｍｍとすることが好ましく、０．５〜２ｍｍとすることがさらに好ましい。空洞部２０’の開口周縁部２０ａ’の頂部２０ｂ’よりも内側領域に、湾曲傾斜面部２０ｃ” が設けられていることにより、収縮時の隙間の発生を抑えつつ、２次樹脂の中心方向へのスムーズな収縮を促し、歪みの発生を最小限に抑えることが可能になる。
【００３７】
これらによって、本第２実施形態の発明の歯ブラシ１０’によっても、２色成形によって空洞部２０’に２次樹脂２２が充填された歯ブラシ本体１５を形成する際に、２次樹脂２２の周縁部分に、隙間や亀裂を生じるのを効果的に回避することが可能になる。
【００３８】
なお、本発明は上記実施形態に限定されることなく種々の変更が可能である。例えば、２色成形時に２次樹脂が充填される、柄部の表裏を貫通して設けられた空洞部は、柄部の把持部に設けられている必要は必ずしも無く、柄部のネック部等に設けられていても良い。空洞部は、柄部の複数箇所に設けられていても良い。柄部の表裏を貫通して設けられた空洞部は、表側の面の開口形状と裏側の面の開口形状とが異なっていても良い。
【符号の説明】
【００３９】
１０，１０’  歯ブラシ
１１  把持部
１２  ネック部
１３  柄部
１４  植毛台
１４ａ  植毛面
１５  歯ブラシ本体
１６  植毛孔
１７  ブリッスル
１８  毛束
１９  指当てマーキング部
２０，２０’  空洞部
２０ａ，２０ａ’  開口周縁部
２０ｂ，２０ｂ’  頂部
２０ｃ  段部
２０ｃ’  傾斜面部
２０ｃ”  湾曲傾斜面部
２０ｄ  連絡面部
２０ｅ  凸曲面
２０ｆ，２０ｆ’  内周面
２１  １次樹脂
２２  ２次樹脂
【図１】
2018198796.tif 000003
【図２】
2018198796.tif 000004
【図３】
2018198796.tif 000005
【図４】
2018198796.tif 000006
【図５】
2018198796.tif 000007
【図６】
2018198796.tif 000008
【図７】
2018198796.tif 000009
【図８】
2018198796.tif 000010
【図９】
2018198796.tif 000011